(57)【要約】【課題】  健康履物として室内、宅外を問わず利用できることと、足裏全面を満遍なく長時間に渡り指圧することと、従来に無い足裏全面に最大限箇所の細かな指圧支点を設けて指圧効果を得られるようにすること。【解決手段】  合成樹脂を素材とした無数の略芝芽１を設けた人工芝を、従来からのスリッパ（履物）の足裏を乗せる全表面部に粘着固定し、その無数の略芝芽１先端部から伝わるチクチク感で、足裏の指先裏から踵の先裏に至るまで満遍なく刺激させ指圧効果が得られるようにした。【選択図】図４
2013094647.tif 000002
【特許請求の範囲】
【請求項１】
合成樹脂を素材とした人工芝基盤２の全表面に、同じ合成樹脂を素材とした略芝芽１の先端部を上向きにして、略芝芽１の先端部が足裏の指先から踵の先に至るまで接触するように満遍なく配置し溶着固定した人工芝を、従来からのスリッパ（履物）の足裏を乗せるスリッパ底部基盤４の全表面に粘着固定し、更にその指先側上部に足甲覆帯３を装着したことを特徴とする健康芝芽指圧スリッパ。
【請求項２】
請求項１記載の人工芝において、更に略芝芽１の形状寸法を幅１ｍｍ〜５ｍｍ前後とし、長さを５ｍｍ〜３０ｍｍとしたことと、略芝芽１の厚みを１ｍｍ〜５ｍｍの範囲として形成したことを特徴とする健康芝芽指圧スリッパ。
【請求項３】
請求項１記載の人工芝において、更に略芝芽１の先端部を略三角形状のやや鋭利なものから略湾曲状のものまでを形状範囲とし、略芝芽１の先端部角度と長短を調整することで弾力性を持たせ、適度の指圧効果が得られるようにしたことを特徴とする健康芝芽指圧スリッパ。
【請求項４】
請求項１記載の人工芝において、更に略芝芽１の先端部を指圧点とする指圧支点を、成人の平均的な足裏の大きさに模した人工芝基盤２上に、数百箇所〜１０００箇所以上の無数に設けたことを特徴とする健康芝芽指圧スリッパ。
【請求項５】
請求項１記載の人工芝において、更に略芝芽１を人工芝基盤２上に溶着固定した略姿勢状態について、その略芝芽１の先端部が外側に略花びらが開くように固定されることと、略直立姿勢に固定されることと、内側に略蕾み状に固定されることを特徴とする健康芝芽指圧スリッパ。
【発明の詳細な説明】
【技術分野】
【０００１】  本発明は、従来から使用されているスリッパの、足裏を乗せる表面部全面に通常市販されている合成樹脂を素材とした人工芝を満遍なく張り巡らし、芝芽のチクチクした刺激感を足裏全体に与えることで指圧効果を高め、両足裏から体全体への血行を促そうとする健康に関する技術である。
【背景技術】
【０００２】  従来からの健康スリッパは、足裏を乗せる表面部にイボ状や半球体の突起物が施されているものがあったが、しかし、それらの物を屋外などで長時間履き続けた場合には足裏に痛みが生じ、屋内で短時間しか使用することが出来なかった。
又、足の指先裏から踵の裏に至る足裏全面を、同時に数百箇所〜１０００箇所以上の無数の指圧支点で足裏を刺激して血行を促す或いは指圧効果を得ようとする健康促進を目的としたスリッパは無かった。
【先行技術文献】
【特許文献】
【０００３】
【特許文献１】  いぼ状の健康スリッパ等
【０００４】
【非特許文献１】  不明
【発明の概要】
【発明が解決しようとする課題】
【０００５】  健康履物として室内、宅外を問わず利用できることと、足裏全面を同時に数百箇所〜１０００箇所以上の無数の指圧支点で刺激して満遍なく長時間に渡り指圧することができるような、従来には無かった足裏全面に最大限箇所の細かな指圧支点を設けて指圧効果を得られるようにすること。
【課題を解決するための手段】
【０００６】  合成樹脂を素材とした人工芝基盤２の全表面に、略芝芽１の先端を上向きにして、略姿勢状態は、その略芝芽１の先端部が外側に略花びらが開くように固定、或いは略直立姿勢に固定及び内側に略蕾み状に固定し、略芝芽１の先端部が足裏の指先から踵の先に至るまで接触するように満遍なく配置し溶着固定し人工芝とした。
次に前記の人工芝をスリッパ（履物）の足裏を乗せるスリッパ底部基盤４の上部全面に粘着固定し、その指先側上部に足甲覆帯３を装着した。
合成樹脂を素材とした人工芝の略芝芽１本の形状は、幅１ｍｍ前後〜５ｍｍ前後で、長さを５ｍｍ〜３０ｍｍとし、厚みは１ｍｍ〜５ｍｍの範囲として形成し、人工芝の略芝芽１の先端部は略三角形状の鋭利なものから略湾曲状のものまでを形状範囲として、略芝芽１の先端部角度と長短を調整することで弾力性を持たせ、適度の指圧効果が得られるようにした。
人工芝は略芝芽の芝芽３〜１０本を１株として形成し、成人の平均的な足裏の大きさに模した人工芝基盤２上に、１５０株以上を配置することができたので、その結果、略芝芽１の先端部を指圧点とする数百箇所〜１０００箇所以上の指圧支点を得ることができた。
無数の略芝芽１先端からの指圧効果が得られることで、両足の指先裏から踵の先裏に至る足裏全面に満遍なく伝わるチクチクした刺激感により多大な指圧効果が得られ人体の血行がより促されるようになった。
【発明の効果】
【０００７】  無数の略芝芽１先端からの指圧効果が得られることで、両足の指先裏から踵の先裏に至る足裏全面に満遍なく伝わるチクチクした刺激感により多大な指圧効果が得られ人体の血行がより促されるようになった。
又、長時間履き続けると足裏全体に強い指圧的刺激が生じるが、薄手の靴下や厚手の靴下を履き替えるなどして調整すればかなり刺激が和らぐので、宅外で使用しても長時間に渡り適度の指圧効果を得ることが可能になった。
【図面の簡単な説明】
【０００８】
【図１】  健康芝芽指圧スリッパの平面図（表面）である。
【図２】  人工芝の平面図兼斜視図である。
【図３】  健康芝芽指圧スリッパの断面図（左・右足側兼用）である。
【図４】  健康芝芽指圧スリッパの側面図と断面図（左・右足側兼用）である。
【発明を実施するための形態】
【０００９】  合成樹脂を素材とした人工芝基盤２の全表面に、略芝芽１の先端を上向きにして、略姿勢状態は、その略芝芽１の先端部が外側に略花びらが開くように固定、或いは略直立姿勢に固定及び内側に略蕾み状に固定し、略芝芽１の先端部が足裏の指先から踵の先に至るまで接触するように満遍なく配置し溶着固定し人工芝とする。
次に前記の人工芝を従来からのスリッパ（履物）の足裏を乗せるスリッパ底部基盤４の全表面上に粘着固定し、その指先側上部に足甲覆帯３を装着する。
合成樹脂を素材とした人工芝の略芝芽１本の形状寸法は、幅１ｍｍ前後〜５ｍｍ前後で、長さを５ｍｍ〜３０ｍｍとし、厚みは１ｍｍ〜５ｍｍの範囲として成し、人工芝の略芝芽１の先端部は略三角形状の鋭利なものから略湾曲状のものまでを形状範囲として、略芝芽１の先端部角度と長短を調整することで弾力性を持たせる。
人工芝は略芝芽の芝芽３〜１０本を１株として形成し、成人の平均的な足裏の大きさに模した人工芝基盤２上に、１５０株以上を溶着配置し、略芝芽１の先端部を指圧点とする数百箇所〜１０００箇所以上の指圧支点を確保する。
【実施例】
【００１０】  通常市販されている合成樹脂を素材とした人工芝を本発明の素材としても、５００箇所〜１０００箇所以上の指圧支点が十分確保できるので利用可能である。
【産業上の利用可能性】
【００１１】  通常使用されている靴や運動靴の靴底としても人工芝を使用できる。
【符号の説明】
【００１２】１    略芝芽
２    人工芝基盤
３    足甲覆帯
４    スリッパ底部基盤（従来からのスリッパ・履物）
【受託番号】
【００１３】
【図１】
2013094647.tif 000003
【図２】
2013094647.tif 000004
【図３】
2013094647.tif 000005
【図４】
2013094647.tif 000006